(57)【要約】【課題】  光ディスクへのアクセス時間の短縮を図る光ディスク再生装置を提供する。【解決手段】  光ディスク再生装置において、光ディスクから読み出された再生データに含まれる一定周期で出現する連続データを検出する連続データ検出部１８と、光ディスクに記録されたデータを再度読み出すリトライ処理を制御するリトライ処理制御部２０を備え、光ディスクの再生データに含まれる、一定周期で出現するデータの連続性を観測し、その連続性が失われたときにリトライ処理を実行することにより、光ディスクへのアクセス時間の短縮を図る。【選択図】  図１
2009032348.tif 000002
【特許請求の範囲】
【請求項１】
光ディスクに記録されたデータを読み出し、再生する記録データ再生部と、
前記記録データ再生部にて読み出された再生データに含まれる一定周期で出現する連続データを検出する連続データ検出部と、
光ディスクに記録されたデータを再度読み出すリトライ処理を制御するリトライ処理制御部とを備え、
前記連続データの連続性を観測し、連続性が損なわれた時点でリトライ処理をする、
ことを特徴とする光ディスク再生装置。
【請求項２】
請求項１記載の光ディスク再生装置において、
前記連続データの連続回数をカウントする連続データカウンタと、
任意のデータ区間を検出するデータ区間検出部を備え、
ある任意のデータ区間内の前記連続データカウンタのカウント値に基づき、リトライ処理をする、
ことを特徴とする光ディスク再生装置。
【請求項３】
請求項２記載の光ディスク再生装置において、
任意のデータ区間内の前記連続データカウンタのカウント値と、可変に設定できる連続データ閾値を比較する連続データ比較器を備え、
前記連続データ比較器にて比較した比較結果に基づき、リトライ処理をする、
ことを特徴とする光ディスク再生装置。
【請求項４】
請求項１記載の光ディスク再生装置において、
前記連続データの不連続回数をカウントする不連続データカウンタと、
任意のデータ区間を検出するデータ区間検出部を備え、
任意のデータ区間内の前記不連続データカウンタのカウント値に基づき、リトライ処理をする、
ことを特徴とする光ディスク再生装置。
【請求項５】
請求項４記載の光ディスク再生装置において、
任意のデータ区間内の前記不連続データカウンタのカウント値と、可変に設定できる不連続データ閾値を比較する不連続データ比較器を備え、
前記不連続データ比較器にて比較した比較結果に基づき、リトライ処理をする、
ことを特徴とする光ディスク再生装置。
【請求項６】
光ディスクに記録されたデータを読み出し、再生する記録データ再生部と、
前記記録媒体におけるユーザが記録できる領域を検出するユーザデータ領域検出部と、
前記ユーザデータ領域検出部によって検出されたユーザデータ領域内に存在する一定周期で出現するユーザデータ領域内連続データを検出するユーザデータ領域内連続データ検出部と、
光ディスクに記録されたデータを再度読み出すリトライ処理を制御するリトライ処理制御部とを備え、
前記ユーザデータ領域内連続データの連続性を観測し、連続性が損なわれた時点でリトライ処理をする、
ことを特徴とする光ディスク再生装置。
【請求項７】
請求項６記載の光ディスク再生装置において、
前記ユーザデータ領域内連続データの連続回数をカウントするユーザデータ領域内連続データカウンタを備え、
前記ユーザデータ領域内連続データカウンタのカウント値に基づき、リトライ処理をする、
ことを特徴とする光ディスク再生装置。
【請求項８】
請求項７記載の光ディスク再生装置において、
前記ユーザデータ領域内連続データカウンタのカウント値と、可変に設定できるユーザデータ領域内連続データ閾値を比較するユーザデータ領域内連続データ比較器を備え、
前記ユーザデータ領域内連続データ比較器にて比較した比較結果に基づき、リトライ処理をする、
ことを特徴とする光ディスク再生装置。
【請求項９】
請求項６記載の光ディスク再生装置において、
前記ユーザデータ領域内連続データの不連続回数をカウントするユーザデータ領域内不連続データカウンタを備え、
前記ユーザデータ領域内不連続データカウンタのカウント値に基づき、リトライ処理をする、
ことを特徴とする光ディスク再生装置。
【請求項１０】
請求項９記載の光ディスク再生装置において、
前記ユーザデータ領域内不連続データカウンタのカウント値と、可変で設定できるユーザデータ領域内不連続データ閾値を比較するユーザデータ領域内不連続データ比較器を備え、
前記ユーザデータ領域内不連続データ比較器にて比較した比較結果に基づき、リトライ処理をする、
ことを特徴とする光ディスク再生装置。
【請求項１１】
光ディスクに記録されたデータを読み出し、再生する記録データ再生部と、
前記記録媒体におけるアドレスデータが記録されている領域を検出するアドレスデータ領域検出部と、
前記アドレスデータ領域検出部によって検出されたアドレスデータ領域内に存在する一定周期で出現するアドレスデータ領域内連続データを検出するアドレスデータ領域内連続データ検出部と、
光ディスクに記録されたデータを再度読み出すリトライ処理を制御するリトライ処理制御部とを備え、
前記アドレスデータ領域内連続データの連続性を観測し、連続性が損なわれた時点でリトライ処理をする、
ことを特徴とする光ディスク再生装置。
【請求項１２】
請求項１１記載の光ディスク再生装置において、
前記アドレスデータ領域内連続データの連続回数をカウントするアドレスデータ領域内連続データカウンタを備え、
前記アドレスデータ領域内連続データカウンタのカウント値に基づき、リトライ処理をする、
ことを特徴とする光ディスク再生装置。
【請求項１３】
請求項１２記載の光ディスク再生装置において、
前記アドレスデータ領域内連続データカウンタのカウント値と、可変に設定できるアドレスデータ領域内連続データ閾値を比較するアドレスデータ領域内連続データ比較器を備え、
前記アドレスデータ領域内連続データ比較器にて比較した比較結果に基づき、リトライ処理をする、
ことを特徴とする光ディスク再生装置。
【請求項１４】
請求項１１記載の光ディスク再生装置において、
前記アドレスデータ領域内連続データの不連続回数をカウントするアドレスデータ領域内不連続データカウンタを備え、
前記アドレスデータ領域内不連続データカウンタのカウント値に基づき、リトライ処理をする、
ことを特徴とする光ディスク再生装置。
【請求項１５】
請求項１４記載の光ディスク再生装置において、
前記アドレスデータ領域内不連続データカウンタのカウント値と、可変に設定できるアドレスデータ領域内不連続データ閾値を比較するアドレスデータ領域内不連続データ比較器を備え、
前記アドレスデータ領域内不連続データ比較器にて比較した比較結果に基づき、リトライ処理をする、
ことを特徴とする光ディスク再生装置。
【発明の詳細な説明】
【技術分野】
【０００１】
本発明は、光ディスクに記録されている記録データを再生する光ディスク再生装置に関するものであり、特に、光ディスク再生に伴うリトライ処理に関する。
【背景技術】
【０００２】
近年、光ディスクのメディアはＣＤ（Ｃｏｍｐａｃｔ  Ｄｉｓｃ）及びＤＶＤ（Ｄｉｇｉｔａｌ  Ｖｅｒｓａｔｉｌｅ  Ｄｉｓｃ）において多様化しており、それらメディアに情報を記録する手段も多様化してきた。特にＤＶＤは、ＣＤに比べ記録密度が高密度であることにより、記憶容量は非常に大きく、エンターテイメントを中心としたコンテンツを記録する手段として幅広く使用されている。
【０００３】
さらに、ＤＶＤにはＤＶＤ−Ｒ／＋Ｒ／−ＲＷ／＋ＲＷ／ＲＡＭといった様々な種類のディスクフォーマットが存在し、用途や記憶容量に応じて選択されている。ここでは、特にＤＶＤ−ＲＡＭのデータ構造及び再生方法について説明する。
【０００４】
ＤＶＤ−ＲＡＭは記録型ＤＶＤ規格の１つで、物理フォーマットとしては、ウォブルランドグルーブ方式を採用しており、同心円状にトラックが形成されている。トラック上にセクタと呼ばれる領域が存在し、セクタはアドレスデータが記録されているヘッダフィールドとユーザがデータを記録できるレコーディングフィールドに分類される。
【０００５】
ヘッダフィールドのデータフォーマットは、ヘッダ１フィールド、ヘッダ２フィールド、ヘッダ３フィールド、ヘッダ４フィールドにより構成されており、それぞれのフィールドには実質同様のデータが記録されている。これはヘッダフィールドに記録されているアドレス情報の取得精度を向上させるためである。
【０００６】
また、１つのヘッダフィールドの構成としては、図３４に示す様に、Ｖａｒｉａｂｌｅ  Ｆｒｅｑｕｅｎｃｙ  Ｏｓｃｉｌｌａｔｏｒ（以下ＶＦＯ）と呼ばれる単一周期の同期コードと、Ａｄｄｒｅｓｓ  Ｍａｒｋ（以下ＡＭ）と呼ばれる同期コードと、Ｐｈｙｓｉｃａｌ  ＩＤ（以下ＰＩＤ）と呼ばれる物理アドレスＩＤコードと、ＰＩＤ  Ｅｒｒｏｒ  Ｄｅｔｅｃｔｉｏｎ  Ｃｏｄｅ（以下ＰＥＤ）と呼ばれるアドレス情報に対する誤り検出コードと、Ｐｏｓｔ  Ａｍｂｌｅ（以下ＰＡ）と呼ばれる特定コードにて構成されている。さらにレコーディングフィールドの構成としては、図３５に示す様に、Ｇａｐ  Ｆｉｅｌｄと呼ばれるランダムコードと、Ｇｕａｒｄ  ｆｉｅｌｄと呼ばれるランダムコードと、ＶＦＯと、Ｐｒｅ‐ｓｙｎｃｈｒｏｎｏｕｓ  Ｃｏｄｅ（以下ＰＳ）と呼ばれる同期コードと、Ｄａｔａ  Ｆｉｅｌｄと呼ばれるユーザ記録領域と、ＰＡにて構成されている。（例えば、特許文献１参照。）。
【０００７】
これらのデータ構造により構成されている記録データを再生する方法として周知になっているのが、セクタのヘッダフィールド及びレコーディングフィールドに存在しているＶＦＯでのフェーズロックドループ（以下ＰＬＬ）回路を用いる方法である。（例えば、特許文献２参照。）。
【０００８】
従来の光ディスク再生装置の構成を図３６に示す。光ディスク再生装置は光ピックアップを備えた光学レーザ２から光ディスク１の記録面上にレーザ制御部１３にて制御されたレーザ光が照射される。光ディスク１の記録面上から反射された反射光の強弱を検出して、光ディスクに記録されている情報（データ）を読み取り、電気信号に変換する。フロントエンドプロセッサ（Ｆｒｏｎｔ  ｅｎｄ  Ｐｒｏｃｅｓｓｏｒ：以下ＦＥＰ）３は、読み出された再生信号を増幅し、ゲインを調整し、不要な高域ノイズ成分の除去と必要な信号帯域の強調処理を行う。電気信号に変換後、Ａ／Ｄ変換器４により、デジタル信号に変換され、デジタルリードチャネル（Ｄｉｇｉｔａｌ  Ｒｅａｄ  Ｃｈａｎｎｅｌ：以下ＤＲＣ）５に入力される。ＤＲＣ５では入力デジタル信号に同期したタイミング信号を生成し、サンプリング方式を制御する。ここでいうサンプリング方式には２種類あり、１つはオフセットサンプリングであり、もう１つはピークサンプリングである。それぞれのサンプリング方式を図３７及び図３８に示す。図３７で描写されているようにオフセットサンプリングは記録情報としての“１”に対応付けられるピットのエッジに同期したサンプリング方式である。また、図３８に描写されているようにピークサンプリングは、前述したオフセットサンプリングとはサンプリングの位相が１８０°異なり、ディスク上に記録されている記録ピットのうち奇数パターン（例えば３Ｔ、５ＴなどＴはチャネルサンプリングクロック）の再生波形に対するピーク値をサンプリングするサンプリング方式であり、理想センターレベルにてスライスし、２値化するためのものである。上記方式により、ＤＲＣ５から再生２値化データ６が出力され、そのデータに同期した再生クロック７も出力される。次に再生２値化データ６と再生クロック７は復調回路（以下ＦＭＴ）８に入力され、８−１６変調規則に則って１６ビットの再生データを８ビットのデータに復調する。この再生データはメモリ９に一旦蓄積され、ある処理単位のデータがたまり次第、誤り訂正回路（以下ＥＣＣ）１０にて誤り訂正処理を施される。また、光学レーザの位置制御や光学レーザ２から出力されるレーザ光の位置制御はサーボ制御部１２にて制御され、光ディスクを回転させるモータを制御するのはモータ制御部１４である。ＣＰＵ１１は、ＤＲＣ５、ＦＭＴ８、メモリ９、ＥＣＣ１０、サーボ制御部１２、レーザ制御部１３、及びモータ制御部１４を制御する。
【特許文献１】特開平１１−１２０５６４号公報
【特許文献２】特開２０００−２００４６７号公報
【発明の開示】
【発明が解決しようとする課題】
【０００９】
しかしながら、前記従来の構成では、ディスク上の傷などを検出できるか、あるいはある処理単位により誤り訂正ができなかったか、あるいはアドレス情報が取得できない場合にリトライ処理を実行していたので、ある任意のアドレスからユーザが指定したアドレスに光ピックアップから照射されたレーザ光を移動させる際、移動先のアドレスを取得し、指定アドレスであることを認識した後、トラッキングが不安定なことから隣接トラックに流れてしまう場合があり、流れた先のアドレス情報を取得できるまでリトライ処理がかけられず、光ディスクへのアクセス時間の遅延を招くという課題を有していた。
【００１０】
また、記録密度が高密度である光ディスクメディアを再生する場合か、あるいは高倍速で記録されたデータを読み取る場合か、あるいは高倍速にて再生する場合において、読み取る再生データの質が劣化し、信頼性を著しく損ねている場合でも、ある処理単位のデータ量を蓄積し、誤り訂正不能と判断されるまではリトライ処理が実行されず、光ディスクへのアクセス時間がその分遅延してしまうという課題も有していた。
【００１１】
本発明は前記従来の課題を解決するもので、光ディスクへのアクセス時間を短縮することのできる光ディスク再生装置を提供することを目的とする。
【課題を解決するための手段】
【００１２】
前記従来の課題を解決するために、本発明の請求項１に係る光ディスク再生装置は、光ディスクに記録されたデータを読み出し、再生する記録データ再生部と、前記記録データ再生部にて読み出された再生データに含まれる一定周期で出現する連続データを検出する連続データ検出部と、光ディスクに記録されたデータを再度読み出すリトライ処理を制御するリトライ処理制御部とを備え、前記連続データの連続性を観測し、連続性が損なわれた時点でリトライ処理をすることを特徴とする。
【００１３】
本構成によって、前記連続データの連続性が損なわれた時点でリトライ処理ができる。
【００１４】
また、本発明の請求項２に係る光ディスク再生装置は、請求項１記載の光ディスク再生装置において、前記連続データの連続回数をカウントする連続データカウンタと、任意のデータ区間を検出するデータ区間検出部を備え、ある任意のデータ区間内の前記連続データカウンタのカウント値に基づき、リトライ処理をすることを特徴とする。
【００１５】
本構成によって、任意のデータ区間内の前記連続データカウンタのカウント値が任意の値を取ることでリトライ処理ができる。
【００１６】
また、本発明の請求項３に係る光ディスク再生装置は、請求項２記載の光ディスク再生装置において、任意のデータ区間内の前記連続データカウンタのカウント値と、可変に設定できる連続データ閾値を比較する連続データ比較器を備え、前記連続データ比較器にて比較した比較結果に基づき、リトライ処理をすることを特徴とする。
【００１７】
本構成によって、前記連続データカウンタのカウント値と比較する前記連続データ閾値を可変に設定できる。
【００１８】
また、本発明の請求項４に係る光ディスク再生装置は、請求項１記載の光ディスク再生装置において、前記連続データの不連続回数をカウントする不連続データカウンタと、任意のデータ区間を検出するデータ区間検出部を備え、任意のデータ区間内の前記不連続データカウンタのカウント値に基づき、リトライ処理をすることを特徴とする。
【００１９】
本構成によって、任意のデータ区間内の前記不連続データカウンタのカウント値が任意の値を取ることでリトライ処理ができる。
【００２０】
また、本発明の請求項５に係る光ディスク再生装置は、請求項４記載の光ディスク再生装置において、任意のデータ区間内の前記不連続データカウンタのカウント値と、可変に設定できる不連続データ閾値を比較する不連続データ比較器を備え、前記不連続データ比較器にて比較した比較結果に基づき、リトライ処理をすることを特徴とする。
【００２１】
本構成によって、前記不連続データカウンタのカウント値と比較する前記不連続データ閾値を可変に設定できる。
【００２２】
また、本発明の請求項６に係る光ディスク再生装置は、光ディスクに記録されたデータを読み出し、再生する記録データ再生部と、前記記録媒体におけるユーザが記録できる領域を検出するユーザデータ領域検出部と、前記ユーザデータ領域検出部によって検出されたユーザデータ領域内に存在する一定周期で出現するユーザデータ領域内連続データを検出するユーザデータ領域内連続データ検出部と、光ディスクに記録されたデータを再度読み出すリトライ処理を制御するリトライ処理制御部とを備え、前記ユーザデータ領域内連続データの連続性を観測し、連続性が損なわれた時点でリトライ処理をすることを特徴とする。
【００２３】
本構成によって、前記ユーザデータ領域内連続データの連続性が損なわれた時点でリトライ処理ができる。
【００２４】
また、本発明の請求項７に係る光ディスク再生装置は、請求項６記載の光ディスク再生装置において、前記ユーザデータ領域内連続データの連続回数をカウントするユーザデータ領域内連続データカウンタを備え、前記ユーザデータ領域内連続データカウンタのカウント値に基づき、リトライ処理をすることを特徴とする。
【００２５】
本構成によって、前記ユーザデータ領域内連続データカウンタのカウント値が任意の値を取ることでリトライ処理ができる。
【００２６】
また、本発明の請求項８に係る光ディスク再生装置は、請求項７記載の光ディスク再生装置において、前記ユーザデータ領域内連続データカウンタのカウント値と、可変に設定できるユーザデータ領域内連続データ閾値を比較するユーザデータ領域内連続データ比較器を備え、前記ユーザデータ領域内連続データ比較器にて比較した比較結果に基づき、リトライ処理をすることを特徴とする。
【００２７】
本構成によって、前記ユーザデータ領域内連続データカウンタのカウント値と比較する前記ユーザデータ領域内連続データ閾値を可変に設定できる。
【００２８】
また、本発明の請求項９に係る光ディスク再生装置は、請求項６記載の光ディスク再生装置において、前記ユーザデータ領域内連続データの不連続回数をカウントするユーザデータ領域内不連続データカウンタを備え、前記ユーザデータ領域内不連続データカウンタのカウント値に基づき、リトライ処理をすることを特徴とする。
【００２９】
本構成によって、前記ユーザデータ領域内不連続データカウンタのカウント値が任意の値を取ることでリトライ処理ができる。
【００３０】
また、本発明の請求項１０に係る光ディスク再生装置は、請求項９記載の光ディスク再生装置において、前記ユーザデータ領域内不連続データカウンタのカウント値と、可変で設定できるユーザデータ領域内不連続データ閾値を比較するユーザデータ領域内不連続データ比較器を備え、前記ユーザデータ領域内不連続データ比較器にて比較した比較結果に基づき、リトライ処理をすることを特徴とする。
【００３１】
本構成によって、前記ユーザデータ領域内不連続データカウンタのカウント値と比較する前記ユーザデータ領域内不連続データ閾値を可変に設定できる。
【００３２】
また、本発明の請求項１１に係る光ディスク再生装置は、光ディスクに記録されたデータを読み出し、再生する記録データ再生部と、前記記録媒体におけるアドレスデータが記録されている領域を検出するアドレスデータ領域検出部と、前記アドレスデータ領域検出部によって検出されたアドレスデータ領域内に存在する一定周期で出現するアドレスデータ領域内連続データを検出するアドレスデータ領域内連続データ検出部と、光ディスクに記録されたデータを再度読み出すリトライ処理を制御するリトライ処理制御部とを備え、前記アドレスデータ領域内連続データの連続性を観測し、連続性が損なわれた時点でリトライ処理をすることを特徴とする。
【００３３】
本構成によって、前記アドレスデータ領域内連続データの連続性が損なわれた時点でリトライ処理ができる。
【００３４】
また、本発明の請求項１２に係る光ディスク再生装置は、請求項１１記載の光ディスク再生装置において、前記アドレスデータ領域内連続データの連続回数をカウントするアドレスデータ領域内連続データカウンタを備え、前記アドレスデータ領域内連続データカウンタのカウント値に基づき、リトライ処理をすることを特徴とする。
【００３５】
本構成によって、前記アドレスデータ領域内連続データカウンタのカウント値が任意の値を取ることでリトライ処理ができる。
【００３６】
また、本発明の請求項１３に係る光ディスク再生装置は、請求項１２記載の光ディスク再生装置において、前記アドレスデータ領域内連続データカウンタのカウント値と、可変に設定できるアドレスデータ領域内連続データ閾値を比較するアドレスデータ領域内連続データ比較器を備え、前記アドレスデータ領域内連続データ比較器にて比較した比較結果に基づき、リトライ処理をすることを特徴とする。
【００３７】
本構成によって、前記アドレスデータ領域内連続データカウンタのカウント値と比較する前記アドレスデータ領域内連続データ閾値を可変に設定できる。
【００３８】
また、本発明の請求項１４に係る光ディスク再生装置は、請求項１１記載の光ディスク再生装置において、前記アドレスデータ領域内連続データの不連続回数をカウントするアドレスデータ領域内不連続データカウンタを備え、前記アドレスデータ領域内不連続データカウンタのカウント値に基づき、リトライ処理をすることを特徴とする。
【００３９】
本構成によって、前記アドレスデータ領域内不連続データカウンタのカウント値が任意の値を取ることでリトライ処理ができる。
【００４０】
また、本発明の請求項１５に係る光ディスク再生装置は、請求項１４記載の光ディスク再生装置において、前記アドレスデータ領域内不連続データカウンタのカウント値と、可変に設定できるアドレスデータ領域内不連続データ閾値を比較するアドレスデータ領域内不連続データ比較器を備え、前記アドレスデータ領域内不連続データ比較器にて比較した比較結果に基づき、リトライ処理をすることを特徴とする。
【００４１】
本構成によって、前記アドレスデータ領域内不連続データカウンタのカウント値と比較する前記アドレスデータ領域内不連続データ閾値を可変に設定できる。
【発明の効果】
【００４２】
本発明の請求項１に係る光ディスク再生装置によれば、光ディスクに記録されたデータを読み出し、再生する記録データ再生部と、前記記録データ再生部にて読み出された再生データに含まれる一定周期で出現する連続データを検出する連続データ検出部と、光ディスクに記録されたデータを再度読み出すリトライ処理を制御するリトライ処理制御部とを備え、前記連続データの連続性を観測し、連続性が損なわれた時点でリトライ処理をするものであるので、連続データの連続性が損なわれた時点でリトライ処理ができ、データアクセス時間を短縮できる、優れた光ディスク再生装置を実現するものである。
【００４３】
また、本発明の請求項２に係る光ディスク再生装置によれば、請求項１記載の光ディスク再生装置において、前記連続データの連続回数をカウントする連続データカウンタと、任意のデータ区間を検出するデータ区間検出部を備え、ある任意のデータ区間内の前記連続データカウンタのカウント値に基づき、リトライ処理をするものであるので、任意のデータ区間内の前記連続データカウンタのカウント値が任意の値を取ることでリトライ処理ができる。
【００４４】
また、本発明の請求項３に係る光ディスク再生装置によれば、請求項２記載の光ディスク再生装置において、任意のデータ区間内の前記連続データカウンタのカウント値と、可変に設定できる連続データ閾値を比較する連続データ比較器を備え、前記連続データ比較器にて比較した比較結果に基づき、リトライ処理をするものであるので、連続データカウンタのカウント値と比較する連続データ閾値を可変に設定し、リトライ処理をするか判断する際の比較を行うことができる。
【００４５】
また、本発明の請求項４に係る光ディスク再生装置によれば、請求項１記載の光ディスク再生装置において、前記連続データの不連続回数をカウントする不連続データカウンタと、任意のデータ区間を検出するデータ区間検出部を備え、任意のデータ区間内の前記不連続データカウンタのカウント値に基づき、リトライ処理をするものであるので、任意のデータ区間内の不連続データカウンタのカウント値が任意の値を取ることでリトライ処理ができる。
【００４６】
また、本発明の請求項５に係る光ディスク再生装置によれば、請求項４記載の光ディスク再生装置において、任意のデータ区間内の前記不連続データカウンタのカウント値と、可変に設定できる不連続データ閾値を比較する不連続データ比較器を備え、前記不連続データ比較器にて比較した比較結果に基づき、リトライ処理をするものであるので、不連続データカウンタのカウント値と比較する前記不連続データ閾値を可変に設定し、リトライ処理をするか判断する際の比較を行うことができる。
【００４７】
また、本発明の請求項６に係る光ディスク再生装置によれば、光ディスクに記録されたデータを読み出し、再生する記録データ再生部と、前記記録媒体におけるユーザが記録できる領域を検出するユーザデータ領域検出部と、前記ユーザデータ領域検出部によって検出されたユーザデータ領域内に存在する一定周期で出現するユーザデータ領域内連続データを検出するユーザデータ領域内連続データ検出部と、光ディスクに記録されたデータを再度読み出すリトライ処理を制御するリトライ処理制御部とを備え、前記ユーザデータ領域内連続データの連続性を観測し、連続性が損なわれた時点でリトライ処理をするものであるので、ユーザデータ領域内連続データの連続性が損なわれた時点でリトライ処理ができ、データアクセス時間を短縮できる、優れた光ディスク再生装置を実現するものである。
【００４８】
また、本発明の請求項７に係る光ディスク再生装置によれば、請求項６記載の光ディスク再生装置において、前記ユーザデータ領域内連続データの連続回数をカウントするユーザデータ領域内連続データカウンタを備え、前記ユーザデータ領域内連続データカウンタのカウント値に基づき、リトライ処理をするものであるので、ユーザデータ領域内連続データカウンタのカウント値が任意の値を取ることでリトライ処理ができる。
【００４９】
また、本発明の請求項８に係る光ディスク再生装置によれば、請求項７記載の光ディスク再生装置において、前記ユーザデータ領域内連続データカウンタのカウント値と、可変に設定できるユーザデータ領域内連続データ閾値を比較するユーザデータ領域内連続データ比較器を備え、前記ユーザデータ領域内連続データ比較器にて比較した比較結果に基づき、リトライ処理をするものであるので、ユーザデータ領域内連続データカウンタのカウント値と比較する前記ユーザデータ領域内連続データ閾値を可変に設定し、リトライ処理をするか判断する際の比較を行うことができる。
【００５０】
また、本発明の請求項９に係る光ディスク再生装置によれば、請求項６記載の光ディスク再生装置において、前記ユーザデータ領域内連続データの不連続回数をカウントするユーザデータ領域内不連続データカウンタを備え、前記ユーザデータ領域内不連続データカウンタのカウント値に基づき、リトライ処理をするものであるので、ユーザデータ領域内不連続データカウンタのカウント値が任意の値を取ることでリトライ処理ができる。
【００５１】
また、本発明の請求項１０に係る光ディスク再生装置によれば、請求項９記載の光ディスク再生装置において、前記ユーザデータ領域内不連続データカウンタのカウント値と、可変で設定できるユーザデータ領域内不連続データ閾値を比較するユーザデータ領域内不連続データ比較器を備え、前記ユーザデータ領域内不連続データ比較器にて比較した比較結果に基づき、リトライ処理をするものであるので、ユーザデータ領域内不連続データカウンタのカウント値と比較する前記ユーザデータ領域内不連続データ閾値を可変に設定し、リトライ処理をするか判断する際の比較を行うことができる。
【００５２】
また、本発明の請求項１１に係る光ディスク再生装置によれば、光ディスクに記録されたデータを読み出し、再生する記録データ再生部と、前記記録媒体におけるアドレスデータが記録されている領域を検出するアドレスデータ領域検出部と、前記アドレスデータ領域検出部によって検出されたアドレスデータ領域内に存在する一定周期で出現するアドレスデータ領域内連続データを検出するアドレスデータ領域内連続データ検出部と、光ディスクに記録されたデータを再度読み出すリトライ処理を制御するリトライ処理制御部とを備え、前記アドレスデータ領域内連続データの連続性を観測し、連続性が損なわれた時点でリトライ処理をするものであるので、アドレスデータ領域内連続データの連続性が損なわれた時点でリトライ処理ができ、データアクセス時間を短縮できる、優れた光ディスク再生装置を実現するものである。
【００５３】
また、本発明の請求項１２に係る光ディスク再生装置によれば、請求項１１記載の光ディスク再生装置において、前記アドレスデータ領域内連続データの連続回数をカウントするアドレスデータ領域内連続データカウンタを備え、前記アドレスデータ領域内連続データカウンタのカウント値に基づき、リトライ処理をするものであるので、前記アドレスデータ領域内連続データカウンタのカウント値が任意の値を取ることでリトライ処理ができる。
【００５４】
また、本発明の請求項１３に係る光ディスク再生装置によれば、請求項１２記載の光ディスク再生装置において、前記アドレスデータ領域内連続データカウンタのカウント値と、可変に設定できるアドレスデータ領域内連続データ閾値を比較するアドレスデータ領域内連続データ比較器を備え、前記アドレスデータ領域内連続データ比較器にて比較した比較結果に基づき、リトライ処理をするものであるので、前記アドレスデータ領域内連続データカウンタのカウント値と比較する前記アドレスデータ領域内連続データ閾値を可変に設定し、リトライ処理をするか判断する際の比較を行うことができる。
【００５５】
また、本発明の請求項１４に係る光ディスク再生装置によれば、請求項１１記載の光ディスク再生装置において、前記アドレスデータ領域内連続データの不連続回数をカウントするアドレスデータ領域内不連続データカウンタを備え、前記アドレスデータ領域内不連続データカウンタのカウント値に基づき、リトライ処理をするものであるので、アドレスデータ領域内不連続データカウンタのカウント値が任意の値を取ることでリトライ処理ができる。
【００５６】
また、本発明の請求項１５に係る光ディスク再生装置によれば、請求項１４記載の光ディスク再生装置において、前記アドレスデータ領域内不連続データカウンタのカウント値と、可変に設定できるアドレスデータ領域内不連続データ閾値を比較するアドレスデータ領域内不連続データ比較器を備え、前記アドレスデータ領域内不連続データ比較器にて比較した比較結果に基づき、リトライ処理をするものであるので、アドレスデータ領域内不連続データカウンタのカウント値と比較する前記アドレスデータ領域内不連続データ閾値を可変に設定し、リトライ処理をするか判断する際の比較を行うことができる。
【発明を実施するための最良の形態】
【００５７】
以下、本発明を実施するための最良の形態について、図面を参照しながら説明する。
（実施の形態１）
【００５８】
図１〜図１１を参照して、本発明の実施の形態１にかかる光ディスク再生装置について説明する。
【００５９】
図１は、本発明の実施の形態１にかかる光ディスク再生装置の構成を示すブロック図である。
【００６０】
図１に示すように、光ディスク再生装置は、光ディスク１、光学レーザ２、ＦＥＰ３、Ａ／Ｄ変換器４、ＤＲＣ５、ＦＭＴ８、メモリ９、ＥＣＣ１０、ＣＰＵ１１、サーボ制御部１２、レーザ制御部１３、モータ制御部１４、データ区間検出部１６、連続データ検出部１８、リトライ制御部２０によって構成され、前記光学レーザ２によって前記光ディスク１の記録面上に照射されたレーザ光が反射され、反射光の強弱を検出して、前記光ディスク１に記録されている情報（データ）を読み取り、電気信号に変換する。前記ＦＥＰ３は、読み出された再生信号を増幅し、ゲインを調整し、不要な高域ノイズ成分の除去と必要な信号帯域の強調処理を行う。強調処理を行われた再生信号は、前記Ａ／Ｄ変換器４により、デジタル信号に変換され、前記再生波形データ１５として前記ＤＲＣ５に入力される。前記ＤＲＣ５では再生波形データ１５を２値化処理し、前記再生２値化データ６と前記再生２値化データ６に同期した前記再生クロック７を出力する。ここで前記データ区間検出部１６は前記再生クロック７と前記再生波形データ１５を用いてデータ区間フラグ１７を生成する。前記データ区間検出部１６は、前記データ区間フラグ１７を生成する際に用いるカウンタを有してもよい。
【００６１】
本発明の実施の形態１にかかる光ディスク再生装置の再生波形データ１５とデータ区間フラグ１７のタイミングチャートを図２に示す。
【００６２】
図２において、再生波形データ１５のアドレス領域及びユーザデータ領域での連続データを検出するための領域を、データ区間フラグ１７がＨｉｇｈの領域とする場合を示す。なお、前記再生波形データ１５と前記データ区間フラグ１７の関係は反転していてもよい。
【００６３】
前記連続データ検出部１８は前記データ区間フラグ１７の検出区間中に前記再生波形データ１５内に存在する連続データを前記再生２値化データ６によって検出し、連続データの連続性が損なわれた時点で状態が反転する連続データフラグ１９を生成する。
【００６４】
前記連続データフラグ１９の状態変化を検出し、リトライ処理を実行するためのフラグ信号であるリトライフラグ２１を生成するのが、前記リトライ制御部２０である。リトライフラグ２１は、連続データフラグ１９の状態変化に連動して、状態が変化する。例えば、リトライフラグ２１は、連続データフラグ１９がＨｉｇｈからＬｏｗに状態変化したときに、ＬｏｗからＨｉｇｈ、またはＨｉｇｈからＬｏｗに状態が変化し、リトライ処理が実行される。
【００６５】
図１に示した本発明の実施の形態１にかかる光ディスク再生装置の、リトライフラグ生成のタイミングチャートを図３に示す。
【００６６】
図３において、データ区間フラグ１７がＨｉｇｈの区間内で再生波形データ１５のアドレス領域及びユーザデータ領域の連続データを検出する。再生波形データ１５のアドレス領域及びユーザデータ領域は複数の連続データを有しており、決められた間隔で連続データが存在する。連続データ検出部１８により、データ区間フラグ１７がＨｉｇｈの区間内の連続データを検出し、再生波形データ１５のアドレス領域及びユーザデータ領域内の連続データがあるべき箇所に存在しないとき、連続データフラグ１９は、ＨｉｇｈからＬｏｗに状態変化する。連続データフラグ１９の状態変化と連動して、リトライフラグ２１はＬｏｗからＨｉｇｈになる。
【００６７】
また、図４に示すように、前記連続データフラグ１９の状態変化をカウントする連続データカウンタ２２を有し、前記連続データカウンタ２２のカウント値である連続データカウント値２３がＮ（Ｎは任意の整数）回になった時点で前記リトライフラグ２１の状態を変化させてもよい。
【００６８】
図４に示した本発明の実施の形態１にかかる光ディスク再生装置の、リトライフラグ生成のタイミングチャートを図５に示す。
【００６９】
図５において、データ区間フラグ１７がＨｉｇｈの区間内で連続データを検出する。ここで、データ区間フラグ１７がＨｉｇｈの区間内に連続データがあるべき箇所にすべて存在する場合は連続データはＮ＋１個あるとする。また、リトライ制御部２０は、連続データがＮ＋１個あればリトライ処理を行わないよう設定されているものとする。連続データ検出部１８によりデータ区間フラグ１７がＨｉｇｈの区間内の連続データを検出し連続データフラグ１９が出力され、連続データカウンタ２２により、連続データカウント値２３がカウントアップされる。図５に示すように、データ区間フラグ１７がＨｉｇｈからＬｏｗになったときに連続データがあるべき箇所に存在せず連続データカウント値２３がＮである場合、リトライ制御部２０に設定されている数値Ｎ＋１より小さいため、リトライフラグ２１をＬｏｗからＨｉｇｈに状態変化し、リトライ処理を行う。
【００７０】
また、図６に示すように、前記連続データカウント値２３と、ＣＰＵにより可変に設定できる連続データ閾値２４とを比較する連続データ比較器２５を有し、比較結果によって状態が変化する連続データ比較フラグ２６によって前記リトライフラグ２１の状態を変化させてもよい。
【００７１】
図６に示した本発明の実施の形態１にかかる光ディスク再生装置の、リトライフラグ生成のタイミングチャートを図７に示す。
【００７２】
図７において、データ区間フラグ１７がＨｉｇｈの区間内で連続データを検出する。ここで、連続データ閾値２４は、連続データ比較器２５にＣＰＵ１１により設定され、変更することができる。図７では連続データ閾値２４はＭである場合を示す。連続データ検出部１８によりデータ区間フラグ１７がＨｉｇｈの区間内の連続データを検出し連続データフラグ１９が出力され、連続データカウンタ２２により、連続データカウント値２３がカウントアップされる。データ区間フラグ１７がＨｉｇｈからＬｏｗになったときに、連続データ比較器２５により、連続データカウント値２３と連続データ閾値２４を比較する。ここで、連続データがあるべき箇所に存在せず連続データカウント値２３はＭ−１であり、連続データ閾値２４のＭより小さいため、連続データ比較フラグ２６はＨｉｇｈからＬｏｗに状態変化する。このとき、リトライフラグ２１はＬｏｗからＨｉｇｈに状態変化し、リトライ処理を行う。
【００７３】
なお、連続データカウント値２３が連続データ閾値２４より大きいか又は等しいときは、連続データ比較フラグ２６はＨｉｇｈ、リトライフラグ２１はＬｏｗのままであり、リトライ処理を行わない。
【００７４】
また、図８に示すように、前記連続データ検出部１８にて連続データが不連続になったときに状態が変化する不連続データフラグ２７を生成し、前記不連続データフラグ２７の状態変化をカウントする不連続データカウンタ２８を有し、前記不連続データカウンタ２８のカウント値である不連続データカウント値２９がＮ（Ｎは任意の整数）回になった時点で前記リトライフラグ２１の状態を変化させてもよい。
【００７５】
図８に示した本発明の実施の形態１にかかる光ディスク再生装置の、リトライフラグ生成のタイミングチャートを図９に示す。
【００７６】
図９において、データ区間フラグ１７がＨｉｇｈの区間内で連続データの不連続を検出する。連続データ検出部１８により、連続データが連続して検出されないとき、連続データの不連続が検出される。ここで、リトライ制御部２０は不連続データカウント値２９がＮになったとき、リトライフラグ２１をＬｏｗからHｉｇｈに状態変化するよう設定されている。連続データ検出部１８によりデータ区間フラグ１７がＨｉｇｈの区間内の連続データが不連続であることを検出し不連続データフラグ２７が出力され、不連続データカウンタ２８により、不連続データカウント値２９がカウントアップされる。図９に示すように、連続データがあるべき箇所に存在せず、不連続データカウント値２９がＮになったとき、リトライフラグ２１をＬｏｗからＨｉｇｈに状態変化し、リトライ処理を行う。
【００７７】
ここで、データ区間フラグ１７がＨｉｇｈからＬｏｗになる前に、不連続データカウント値２９がＮになったときは、その時点で、リトライフラグ２１をＬｏｗからＨｉｇｈに状態変化する。
【００７８】
また、図１０に示すように、前記不連続データカウント値２９と、ＣＰＵにより可変に設定できる不連続データ閾値３０とを比較する不連続データ比較器３１を有し、比較結果によって状態が変化する不連続データ比較フラグ３２によって前記リトライフラグ２１の状態を変化させてもよい。
【００７９】
図１０に示した本発明の実施の形態１にかかる光ディスク再生装置の、リトライフラグ生成のタイミングチャートを図１１に示す。
【００８０】
図１１において、データ区間フラグ１７がＨｉｇｈの区間内で連続データの不連続を検出する。連続データ検出部１８により、連続データが連続して検出されないとき、連続データの不連続が検出される。また、不連続データ閾値３０は、不連続データ比較器３１にＣＰＵ１１により設定され、変更することができる。図１１では不連続データ閾値３０はＭである場合を示す。連続データ検出部１８によりデータ区間フラグ１７がＨｉｇｈの区間内の連続データが不連続であることを検出し不連続データフラグ２７が出力され、不連続データカウンタ２８により、不連続データカウント値２９がカウントアップされる。不連続データ比較器３１により、不連続データカウント値２９と不連続データ閾値３０を比較する。ここで、連続データがあるべき箇所に存在せず、不連続データカウント値２９がＭになったとき、連続データ閾値２４のＭと等しいため、不連続データ比較フラグ３２はＬｏｗからＨｉｇｈに状態変化する。このとき、リトライフラグ２１はＬｏｗからＨｉｇｈに状態変化し、リトライ処理を行う。
【００８１】
ここで、データ区間フラグ１７がＨｉｇｈからＬｏｗになる前に、不連続データカウント値２９がＭになった時は、その時点で、リトライフラグ２１をＬｏｗからＨｉｇｈに状態変化する。
【００８２】
なお、データ区間フラグ１７がＨｉｇｈの区間内で不連続データカウント値２９が不連続データ閾値３０より小さいときは、不連続データ比較フラグ３２はＬｏｗのままであり、リトライ処理を行わない。
【００８３】
以上のように、本実施の形態によれば、光ディスク１から読み出された再生データに含まれる一定周期で出現する連続データを検出する連続データ検出部１８と、光ディスク１に記録されたデータを再度読み出すリトライ処理を制御するリトライ制御部２０とを備え、前記連続データの連続性を観測し、連続性が損なわれた時点でリトライ処理をするようにしたので、光ディスクへのアクセス時間の短縮を図ることができる。
【００８４】
（実施の形態２）
図１２〜図２２を参照して、本発明の実施の形態２にかかる光ディスク再生装置について説明する。
【００８５】
図１２は、本発明の実施の形態２にかかる光ディスク再生装置の構成を示すブロック図である。
【００８６】
図１２に示すように、光ディスク再生装置は、光ディスク１、光学レーザ２、ＦＥＰ３、Ａ／Ｄ変換器４、ＤＲＣ５、ＦＭＴ８、メモリ９、ＥＣＣ１０、ＣＰＵ１１、サーボ制御部１２、レーザ制御部１３、モータ制御部１４、ユーザデータ領域検出部３３、ユーザデータ領域内連続データ検出部３５、リトライ制御部２０によって構成され、前記光学レーザ２によって前記光ディスク１の記録面上に照射されたレーザ光が反射され、反射光の強弱を検出して、前記光ディスク１に記録されている情報（データ）を読み取り、電気信号に変換する。前記ＦＥＰ３は、読み出された再生信号を増幅し、ゲインを調整し、不要な高域ノイズ成分の除去と必要な信号帯域の強調処理を行う。強調処理を行われた再生信号は、前記Ａ／Ｄ変換器４により、デジタル信号に変換され、前記再生波形データ１５として前記ＤＲＣ５に入力される。前記ＤＲＣ５では再生波形データ１５を２値化処理し、前記再生２値化データ６と前記再生２値化データ６に同期した前記再生クロック７を出力する。ここで前記ユーザデータ領域検出部３３は前記再生クロック７と前記再生波形データ１５を用いてユーザデータ領域フラグ３４を生成する。前記ユーザデータ領域検出部３３は、前記ユーザデータ領域フラグ３４を生成する際に用いるカウンタを有してもよい。
【００８７】
本発明の実施の形態２にかかる光ディスク再生装置の再生波形データ１５とユーザデータ領域フラグ３４のタイミングチャートを図１３に示す。
【００８８】
図１３において、再生波形データ１５のユーザデータ領域をユーザデータ領域フラグ３４がＨｉｇｈの領域とし、再生波形データ１５のアドレス領域をユーザデータ領域フラグ３４がＬｏｗの領域とする場合を示す。なお、前記再生波形データ１５と前記ユーザデータ領域フラグ３４の関係は反転していてもよい。
【００８９】
前記ユーザデータ領域内連続データ検出部３５は前記ユーザデータ領域フラグ３４の検出区間中に前記再生波形データ１５内に存在する連続データを前記再生２値化データ６によって検出し、連続データの連続性が損なわれた時点で状態が反転するユーザデータ領域内連続データフラグ３６を生成する。
【００９０】
前記ユーザデータ領域内連続データフラグ３６の状態変化を検出し、リトライ処理を実行するためのフラグ信号であるリトライフラグ２１を生成するのが、前記リトライ制御部２０である。リトライフラグ２１は、ユーザデータ領域内連続データフラグ３６の状態変化に連動して、状態が変化する。例えば、リトライフラグ２１は、ユーザデータ領域内連続データフラグ３６がＨｉｇｈからＬｏｗに状態変化したときに、ＬｏｗからＨｉｇｈ、またはＨｉｇｈからＬｏｗに状態が変化し、リトライ処理が実行される。
【００９１】
図１２に示した本発明の実施の形態２にかかる光ディスク再生装置の、リトライフラグ生成のタイミングチャートを図１４に示す。
【００９２】
図１４において、ユーザデータ区間フラグ３４がＨｉｇｈの区間内で再生波形データ１５のユーザデータ領域の連続データを検出する。再生波形データ１５のユーザデータ領域は複数の連続データを有しており、決められた間隔で連続データが存在する。ユーザデータ領域内連続データ検出部３５により、ユーザデータ領域フラグ３４がＨｉｇｈの区間内の連続データを検出し、再生波形データ１５のユーザデータ領域内の連続データがあるべき箇所に存在しないとき、ユーザデータ領域内連続データフラグ３６は、ＨｉｇｈからＬｏｗに状態変化する。ユーザデータ領域内連続データフラグ３６の状態変化と連動して、リトライフラグ２１はＬｏｗからＨｉｇｈになる。
【００９３】
また、図１５に示すように、前記ユーザデータ領域内連続データフラグ３６の状態変化をカウントするユーザデータ領域内連続データカウンタ３７を有し、前記ユーザデータ領域内連続データカウンタ３７のカウント値であるユーザデータ領域内連続データカウント値３８がＮ（Ｎは任意の整数）回になった時点で前記リトライフラグ２１の状態を変化させてもよい。
【００９４】
図１５に示した本発明の実施の形態２にかかる光ディスク再生装置の、リトライフラグ生成のタイミングチャートを図１６に示す。
【００９５】
図１６において、ユーザデータ領域フラグ３４がＨｉｇｈの区間内で連続データを検出する。ここで、ユーザデータ領域フラグ３４がＨｉｇｈの区間内に連続データがあるべき箇所にすべて存在する場合は連続データはＮ＋１個あるとする。また、リトライ制御部２０は、連続データがＮ＋１個あればリトライ処理を行わないよう設定されているものとする。ユーザデータ領域内連続データ検出部３５によりユーザデータ領域フラグ３４がＨｉｇｈの区間内の連続データを検出しユーザデータ領域内連続データフラグ３６が出力され、ユーザデータ領域内連続データカウンタ３７により、ユーザデータ領域内連続データカウント値３８がカウントアップされる。図１６に示すように、ユーザデータ領域フラグ３４がＨｉｇｈからＬｏｗになったときに連続データがあるべき箇所に存在せずユーザデータ領域内連続データカウント値３８がＮである場合、リトライ制御部２０に設定されている数値のＮ＋１より小さいため、リトライフラグ２１をＬｏｗからＨｉｇｈに状態変化し、リトライ処理を行う。
【００９６】
また、図１７に示すように、前記ユーザデータ領域内連続データカウント値３８と、ＣＰＵにより可変に設定できるユーザデータ領域内連続データ閾値３９とを比較するユーザデータ領域内連続データ比較器４０を有し、比較結果によって状態が変化するユーザデータ領域内連続データ比較フラグ４１によって前記リトライフラグ２１の状態を変化させてもよい。
【００９７】
図１７に示した本発明の実施の形態２にかかる光ディスク再生装置の、リトライフラグ生成のタイミングチャートを図１８に示す。
【００９８】
図１８において、ユーザデータ領域フラグ３４がＨｉｇｈの区間内で連続データを検出する。ここで、ユーザデータ領域内連続データ閾値３９は、ユーザデータ領域内連続データ比較器４０にＣＰＵ１１により設定され、変更することができる。図１８ではユーザデータ領域内連続データ閾値３９はＭである場合を示す。ユーザデータ領域内連続データ検出部３５によりユーザデータ領域フラグ３４がＨｉｇｈの区間内の連続データを検出しユーザデータ領域内連続データフラグ３６が出力され、ユーザデータ領域内連続データカウンタ３７により、ユーザデータ領域内連続データカウント値３８がカウントアップされる。ユーザデータ領域フラグ３４がＨｉｇｈからＬｏｗになったときに、ユーザデータ領域内連続データ比較器４０により、ユーザデータ領域内連続データカウント値３８とユーザデータ領域内連続データ閾値３９を比較する。ここで、連続データがあるべき箇所に存在せずユーザデータ領域内連続データカウント値３８はＭ−１であり、ユーザデータ領域内連続データ閾値３９のＭより小さいため、ユーザデータ領域内連続データ比較フラグ４１はＨｉｇｈからＬｏｗに状態変化する。このとき、リトライフラグ２１はＬｏｗからＨｉｇｈに状態変化し、リトライ処理を行う。
【００９９】
なお、ユーザデータ領域内連続データカウント値３８がユーザデータ領域内連続データ閾値３９より大きいか又は等しいときは、ユーザデータ領域内連続データ比較フラグ４１はＨｉｇｈ、リトライフラグ２１はＬｏｗのままであり、リトライ処理を行わない。
【０１００】
また、図１９に示すように、前記ユーザデータ領域内連続データ検出部３５にて連続データが不連続になったときに状態が変化するユーザデータ領域内不連続データフラグ４２を生成し、前記ユーザデータ領域内不連続データフラグ４２の状態変化をカウントするユーザデータ領域内不連続データカウンタ４３を有し、前記ユーザデータ領域内不連続データカウンタ４３のカウント値であるユーザデータ領域内不連続データカウント値４４がＮ（Ｎは任意の整数）回になった時点で前記リトライフラグ２１の状態を変化させてもよい。
【０１０１】
図１９に示した本発明の実施の形態２にかかる光ディスク再生装置の、リトライフラグ生成のタイミングチャートを図２０に示す。
【０１０２】
図２０において、ユーザデータ領域フラグ３４がＨｉｇｈの区間内で連続データの不連続を検出する。ユーザデータ領域内連続データ検出部３５により、連続データが連続して検出されないとき、連続データの不連続が検出される。ここで、リトライ制御部２０はユーザデータ領域内不連続データカウント値４４がＮになったとき、リトライフラグ２１をＬｏｗからＨｉｇｈに状態変化するよう設定されている。ユーザデータ領域内連続データ検出部３５によりユーザデータ領域フラグ３４がＨｉｇｈの区間内の連続データが不連続であることを検出しユーザデータ領域内不連続データフラグ４２が出力され、ユーザデータ領域内不連続データカウンタ４３により、ユーザデータ領域内不連続データカウント値４４がカウントアップされる。図２０に示すように、ユーザデータ領域内不連続データカウント値４４がＮになったとき、リトライフラグ２１をＬｏｗからＨｉｇｈに状態変化し、リトライ処理を行う。
【０１０３】
ここで、ユーザデータ領域フラグ３４がＨｉｇｈからＬｏｗになる前に、ユーザデータ領域内不連続データカウント値４４がＮになったときは、その時点で、リトライフラグ２１をＬｏｗからＨｉｇｈに状態変化する。
【０１０４】
また、図２１に示すように、前記ユーザデータ領域内不連続データカウント値４４と、ＣＰＵにより可変に設定できるユーザデータ領域内不連続データ閾値４５とを比較するユーザデータ領域内不連続データ比較器４６を有し、比較結果によって状態が変化するユーザデータ領域内不連続データ比較フラグ４７によって前記リトライフラグ２１の状態を変化させてもよい。
【０１０５】
図２１に示した本発明の実施の形態２にかかる光ディスク再生装置の、リトライフラグ生成のタイミングチャートを図２２に示す。
【０１０６】
図２２において、ユーザデータ領域フラグ３４がＨｉｇｈの区間内で連続データの不連続を検出する。ユーザデータ領域内連続データ検出部３５により、連続データが連続して検出されないとき、連続データの不連続が検出される。また、ユーザデータ領域内不連続データ閾値４５は、ユーザデータ領域内不連続データ比較器４６にＣＰＵ１１により設定され、変更することができる。図２２ではユーザデータ領域内不連続データ閾値４５はＭである場合を示す。ユーザデータ領域内連続データ検出部３５によりユーザデータ領域フラグ３４がＨｉｇｈの区間内の連続データが不連続であることを検出しユーザデータ領域内不連続データフラグ４２が出力され、ユーザデータ領域内不連続データカウンタ４３により、ユーザデータ領域内不連続データカウント値４４がカウントアップされる。ユーザデータ領域内不連続データ比較器４６により、ユーザデータ領域内不連続データカウント値４４とユーザデータ領域内不連続データ閾値４５を比較する。ここで、連続データがあるべき箇所に存在せず、ユーザデータ領域内不連続データカウント値４４はＭになったとき、ユーザデータ領域内連続データ閾値４５のＭと等しいため、ユーザデータ領域内不連続データ比較フラグ４７はＬｏｗからＨｉｇｈに状態変化する。このとき、リトライフラグ２１はＬｏｗからＨｉｇｈに状態変化し、リトライ処理を行う。
【０１０７】
ここで、ユーザデータ領域フラグ３４がＨｉｇｈからＬｏｗになる前に、ユーザデータ領域内不連続データカウント値４４がＭになった時は、その時点で、リトライフラグ２１をＬｏｗからＨｉｇｈに状態変化する。
【０１０８】
なお、ユーザデータ領域フラグ３４がＨｉｇｈの区間内でユーザデータ領域内不連続データカウント値４４がユーザデータ領域内不連続データ閾値４５より小さいときは、ユーザデータ領域内不連続データ比較フラグ４７はＬｏｗのままであり、リトライ処理を行わない。
【０１０９】
以上のように、本実施の形態によれば、記録媒体におけるユーザが記録できる領域を検出するユーザデータ領域検出部３３と、前記ユーザデータ領域検出部３３によって検出されたユーザデータ領域内に存在する一定周期で出現するユーザデータ領域内連続データを検出するユーザデータ領域内連続データ検出部３５と、光ディスク１に記録されたデータを再度読み出すリトライ処理を制御するリトライ制御部２０とを備え、前記ユーザデータ領域内連続データの連続性を観測し、連続性が損なわれた時点でリトライ処理をするようにしたので、光ディスクへのアクセス時間を短縮することができる。
【０１１０】
（実施の形態３）
図２３〜図３３を参照して、本発明の実施の形態３にかかる光ディスク再生装置について説明する。
【０１１１】
図２３は、本発明の実施の形態３にかかる光ディスク再生装置の構成を示すブロック図である。
【０１１２】
図２３に示すように、光ディスク再生装置は、光ディスク１、光学レーザ２、ＦＥＰ３、Ａ／Ｄ変換器４、ＤＲＣ５、ＦＭＴ８、メモリ９、ＥＣＣ１０、ＣＰＵ１１、サーボ制御部１２、レーザ制御部１３、モータ制御部１４、アドレスデータ領域検出部４８、アドレスデータ領域内連続データ検出部５０、リトライ制御部２０によって構成され、前記光学レーザ２によって前記光ディスク１の記録面上に照射されたレーザ光が反射され、反射光の強弱を検出して、前記光ディスク１に記録されている情報（データ）を読み取り、電気信号に変換する。前記ＦＥＰ３は、読み出された再生信号を増幅し、ゲインを調整し、不要な高域ノイズ成分の除去と必要な信号帯域の強調処理を行う。強調処理を行われた再生信号は、前記Ａ／Ｄ変換器４により、デジタル信号に変換され、前記再生波形データ１５として前記ＤＲＣ５に入力される。前記ＤＲＣ５では再生波形データ１５を２値化処理し、前記再生２値化データ６と前記再生２値化データ６に同期した前記再生クロック７を出力する。ここで前記アドレスデータ領域検出部４８は前記再生クロック７と前記再生波形データ１５を用いてアドレスデータ領域フラグ４９を生成する。前記アドレスデータ領域検出部４８は、前記アドレスデータ領域フラグ４９を生成する際に用いるカウンタを有してもよい。
【０１１３】
本発明の実施の形態３にかかる光ディスク再生装置の再生波形データ１５とアドレスデータ領域フラグ４９のタイミングチャートを図２４に示す。
【０１１４】
図２４において、再生波形データ１５のアドレス領域をアドレスデータ領域フラグ４９がＨｉｇｈの領域とし、再生波形データ１５のユーザデータ領域をアドレスデータ領域フラグ４９がＬｏｗの領域とする場合を示す。なお、前記再生波形データ１５と前記アドレスデータ領域フラグ４９の関係は反転していてもよい。
【０１１５】
前記アドレスデータ領域内連続データ検出部５０は前記アドレスデータ領域フラグ４９の検出区間中に前記再生波形データ１５内に存在する連続データを前記再生２値化データ６によって検出し、連続データの連続性が損なわれた時点で状態が反転するアドレスデータ領域内連続データフラグ５１を生成する。
【０１１６】
前記アドレスデータ領域内連続データフラグ５１の状態変化を検出し、リトライ処理を実行するためのフラグ信号であるリトライフラグ２１を生成するのが、前記リトライ制御部２０である。リトライフラグ２１は、アドレスデータ領域内連続データフラグ５１の状態変化に連動して、状態が変化する。例えば、リトライフラグ２１は、アドレスデータ領域内連続データフラグ５１がＨｉｇｈからＬｏｗに状態変化したときに、ＬｏｗからＨｉｇｈ、またはＨｉｇｈからＬｏｗに状態が変化し、リトライ処理が実行される。
【０１１７】
図２３に示した本発明の実施の形態３にかかる光ディスク再生装置の、リトライフラグ生成のタイミングチャートを図２５に示す。
【０１１８】
図２５において、アドレスデータ領域フラグ４９がＨｉｇｈの区間内で再生波形データ１５のアドレス領域の連続データを検出する。再生波形データ１５のアドレス領域は複数の連続データを有しており、決められた間隔で連続データが存在する。アドレスデータ量域内連続データ検出部５０により、アドレスデータ領域フラグ４９がＨｉｇｈの区間内の連続データを検出し、再生波形データ１５のアドレス領域内の連続データがあるべき箇所に存在しないとき、アドレスデータ領域内連続データフラグ５１は、ＨｉｇｈからＬｏｗに状態変化する。アドレスデータ領域内連続データフラグ５１の状態変化と連動して、リトライフラグ２１はＬｏｗからＨｉｇｈになる。
【０１１９】
また、図２６に示すように、前記アドレスデータ領域内連続データフラグ５１の状態変化をカウントするアドレスデータ領域内連続データカウンタ５２を有し、前記アドレスデータ領域内連続データカウンタ５２のカウント値であるアドレスデータ領域内連続データカウント値５３がＮ（Ｎは任意の整数）回になった時点で前記リトライフラグ２１の状態を変化させてもよい。
【０１２０】
図２６に示した本発明の実施の形態３にかかる光ディスク再生装置の、リトライフラグ生成のタイミングチャートを図２７に示す。
【０１２１】
図２７において、アドレスデータ領域フラグ４９がＨｉｇｈの区間内で連続データを検出する。ここで、アドレスデータ領域フラグ４９がＨｉｇｈの区間内に連続データがあるべき箇所にすべて存在する場合は連続データはＮ＋１個あるとする。また、あらかじめ、リトライ制御部２０は、連続データがＮ＋１個あればリトライ処理を行わないように設定されているものとする。アドレスデータ領域内連続データ検出部５０によりアドレスデータ領域フラグ４９のＨＩｇｈの区間内の連続データを検出しアドレスデータ領域内連続データフラグ５１が出力され、アドレスデータ領域内連続データカウンタ５２により、ユーザデータ領域内連続データカウント値５３がカウントアップされる。図２７に示すように、アドレスデータ領域フラグ４９がＨｉｇｈからＬｏｗになったときに連続データがあるべき箇所に存在せずユーザデータ領域内連続データカウント値５３がＮである場合、リトライ制御部２０に設定されている数値のＮ＋１より小さいため、リトライフラグ２１をＬｏｗからＨｉｇｈに状態変化し、リトライ処理を行う。
【０１２２】
また、図２８に示すように、前記アドレスデータ領域内連続データカウント値５３と、ＣＰＵにより可変に設定できるアドレスデータ領域内連続データ閾値５４とを比較するアドレスデータ領域内連続データ比較器５５を有し、比較結果によって状態が変化するアドレスデータ領域内連続データ比較フラグ５６によって前記リトライフラグ２１の状態を変化させてもよい。
【０１２３】
図２８に示した本発明の実施の形態３にかかる光ディスク再生装置の、リトライフラグ生成のタイミングチャートを図２９に示す。
【０１２４】
図２９において、アドレスデータ領域フラグ４９がＨｉｇｈの区間内で連続データを検出する。ここで、アドレスデータ領域内連続データ閾値５４は、アドレスデータ領域内連続データ比較器５５にＣＰＵ１１により設定され、変更することができる。図２９ではアドレスデータ領域内連続データ閾値５４はＭである場合を示す。アドレスデータ領域内連続データ検出部５０によりアドレスデータ領域フラグ４９がＨｉｇｈの区間内の連続データを検出しアドレスデータ領域内連続データフラグ５１が出力され、アドレスデータ領域内連続データカウンタ５２により、アドレスデータ領域内連続データカウント値５３がカウントアップされる。アドレスデータ領域フラグ４９がＨｉｇｈからＬｏｗになったときに、アドレスデータ領域内連続データ比較器５５により、アドレスデータ領域内連続データカウント値５３とアドレスデータ領域内連続データ閾値５４を比較する。ここで、連続データがあるべき箇所に存在せずアドレスデータ領域内連続データカウント値５３はＭ−１であり、アドレスデータ領域内連続データ閾値５４のＭより小さいため、アドレスデータ領域内連続データ比較フラグ５６はＨｉｇｈからＬｏｗに状態変化する。このとき、リトライフラグ２１はＬｏｗからＨｉｇｈに状態変化し、リトライ処理を行う。
【０１２５】
なお、アドレスデータ領域内連続データカウント値５３がアドレスデータ領域内連続データ閾値５４より大きいか又は等しいときは、アドレスデータ領域内連続データ比較フラグ５６はＨｉｇｈ、リトライフラグ２１はＬｏｗのままであり、リトライ処理を行わない。
【０１２６】
また、図３０に示すように、前記アドレスデータ領域内連続データ検出部５０にて連続データが不連続になったときに状態が変化するアドレスデータ領域内不連続データフラグ５７を生成し、前記アドレスデータ領域内不連続データフラグ５７の状態変化をカウントするアドレスデータ領域内不連続データカウンタ５８を有し、前記アドレスデータ領域内不連続データカウンタ５８のカウント値であるアドレスデータ領域内不連続データカウント値５９がＮ（Ｎは任意の整数）回になった時点で前記リトライフラグ２１の状態を変化させてもよい。
【０１２７】
図３０に示した本発明の実施の形態３にかかる光ディスク再生装置の、リトライフラグ生成のタイミングチャートを図３１に示す。
【０１２８】
図３１において、アドレスデータ領域フラグ４９がＨｉｇｈの区間内で連続データの不連続を検出する。アドレスデータ領域内連続データ検出部５０により、連続データが連続して検出されないとき、連続データの不連続が検出される。ここで、リトライ制御部２０はアドレスデータ領域内不連続データカウント値５９がＮになったとき、リトライフラグ２１をＬｏｗからＨｉｇｈに状態変化するように設定されている。アドレスデータ領域内連続データ検出部５０によりアドレスデータ領域フラグ４９がＨｉｇｈの区間内の連続データが不連続であることを検出しアドレスデータ領域内不連続データフラグ５７が出力され、アドレスデータ領域内不連続データカウンタ５８により、アドレスデータ領域内不連続データカウント値５９がカウントアップされる。図３１に示すように、アドレスデータ領域内不連続データカウント値５９がＮになったとき、リトライフラグ２１をＬｏｗからＨｉｇｈに状態変化し、リトライ処理を行う。
【０１２９】
ここで、アドレスデータ領域フラグ４９がＨｉｇｈからＬｏｗになる前に、アドレスデータ領域内不連続データカウント値５９がＮになったときは、その時点で、リトライフラグ２１をＬｏｗからＨｉｇｈに状態変化する。
【０１３０】
また、図３２に示すように、前記アドレスデータ領域内不連続データカウント値５９と、ＣＰＵにより可変に設定できるアドレスデータ領域内不連続データ閾値６０とを比較するアドレスデータ領域内不連続データ比較器６１を有し、比較結果によって状態が変化するアドレスデータ領域内不連続データ比較フラグ６２によって前記リトライフラグ２１の状態を変化させてもよい。
【０１３１】
図３２に示した本発明の実施の形態３にかかる光ディスク再生装置の、リトライフラグ生成のタイミングチャートを図３３に示す。
【０１３２】
図３３において、アドレスデータ領域フラグ４９がＨｉｇｈの区間内で連続データの不連続を検出する。アドレスデータ領域内連続データ検出部５０により、連続データが連続して検出されないとき、連続データの不連続が検出される。また、アドレスデータ領域内不連続データ閾値３０は、アドレスデータ領域内不連続データ比較器６１にＣＰＵ１１により設定され、変更することができる。図３３ではアドレスデータ領域内不連続データ閾値６０はＭである場合を示す。アドレスデータ領域内連続データ検出部５０によりアドレスデータ領域フラグ４９がＨｉｇｈの区間内の連続データが不連続であることを検出しアドレスデータ領域内不連続データフラグ５７が出力され、アドレスデータ領域内不連続データカウンタ５８により、アドレスデータ領域内不連続データカウント値５９がカウントアップされる。アドレスデータ領域内不連続データ比較器６１により、アドレスデータ領域内不連続データカウント値５９とアドレスデータ領域内不連続データ閾値６０を比較する。ここで、連続データがあるべき箇所に存在せず、アドレスデータ領域内不連続データカウント値５９はＭになったとき、アドレスデータ領域内連続データ閾値６０のＭと等しいため、アドレスデータ領域内不連続データ比較フラグ６２はＬｏｗからＨｉｇｈに状態変化する。このとき、リトライフラグ２１はＬｏｗからＨｉｇｈに状態変化し、リトライ処理を行う。
【０１３３】
ここで、アドレスデータ領域フラグ４９がＨｉｇｈからＬｏｗになる前に、アドレスデータ領域内不連続データカウント値５９がＭになった時は、その時点で、リトライフラグ２１をＬｏｗからＨｉｇｈに状態変化する。
【０１３４】
なお、アドレスデータ領域フラグ４９がＨｉｇｈの区間内でアドレスデータ領域内不連続データカウント値５９がアドレスデータ領域内不連続データ閾値６０より小さいときは、アドレスデータ領域内不連続データ比較フラグ６２はＬｏｗのままであり、リトライ処理を行わない。
【０１３５】
なお、ＤＶＤ−ＲＯＭ／−Ｒ／＋Ｒ／−ＲＷ／＋ＲＷはアドレスデータ領域とユーザデータ領域で各連続データの間隔が等しく、アドレスデータ領域とユーザデータ領域で区別する必要がないため、実施の形態１による光ディスク再生装置は、ＤＶＤ−ＲＯＭ／−Ｒ／＋Ｒ／−ＲＷ／＋ＲＷの再生に適しており、ＤＶＤ−ＲＡＭはアドレスデータ領域とユーザデータ領域で各連続データの間隔が異なっており、アドレスデータ領域とユーザデータ領域で区別する必要があるため、実施の形態２または３による光ディスク再生装置は、ＤＶＤ−ＲＡＭの再生に適している。
【０１３６】
以上のように、本実施の形態によれば、記録媒体におけるアドレスデータが記録されている領域を検出するアドレスデータ領域検出部４８と、前記アドレスデータ領域検出部４８によって検出されたアドレスデータ領域内に存在する一定周期で出現するアドレスデータ領域内連続データを検出するアドレスデータ領域内連続データ検出部５０と、光ディスク１に記録されたデータを再度読み出すリトライ処理を制御するリトライ制御部２０とを備え、前記アドレスデータ領域内連続データの連続性を観測し、連続性が損なわれた時点でリトライ処理をするようにしたので、光ディスクへのアクセス時間を短縮することができる。
【産業上の利用可能性】
【０１３７】
また、本発明に係る光ディスク再生装置は、デジタル情報記録装置のリトライ処理に伴うリトライ制御部を有する光ディスク再生装置であって、リトライ処理を必要とする前記再生波形データに対し、連続コードの連続性を観測し、連続性が損なわれた時点でリトライ処理を実行することで、アクセス時間の短縮が可能となるので光ディスク再生装置等として有用である。
【図面の簡単な説明】
【０１３８】
【図１】本発明の実施の形態１に係る光ディスク再生装置の構成を示すブロック図である。
【図２】本発明の実施の形態１に係る光ディスク再生装置に対し、データ区間フラグをより詳細に示すタイミングチャートである。
【図３】本発明の実施の形態１に係る光ディスク再生装置に対し、再生処理データからリトライフラグ生成までをより詳細に示すタイミングチャートである。
【図４】本発明の実施の形態１に係る光ディスク再生装置に対し、連続データカウンタを含む構成をより詳細に示すブロック図である。
【図５】本発明の実施の形態１に係る光ディスク再生装置の連続データカウンタを含む構成に対し、再生処理データからリトライフラグ生成までをより詳細に示すタイミングチャートである。
【図６】本発明の実施の形態１に係る光ディスク再生装置に対し、連続データ比較器及び連続データ閾値を含む構成をより詳細に示すブロック図である。
【図７】本発明の実施の形態１に係る光ディスク再生装置の連続データ比較器及び連続データ閾値を含む構成に対し、再生処理データからリトライフラグ生成までをより詳細に示すタイミングチャートである。
【図８】本発明の実施の形態１に係る光ディスク再生装置に対し、不連続データカウンタを含む構成をより詳細に示すブロック図である。
【図９】本発明の実施の形態１に係る光ディスク再生装置の不連続データカウンタを含む構成に対し、再生処理データからリトライフラグ生成までをより詳細に示すタイミングチャートである。
【図１０】本発明の実施の形態１に係る光ディスク再生装置に対し、不連続データ比較器及び不連続データ閾値を含む構成をより詳細に示すブロック図である。
【図１１】本発明の実施の形態１に係る光ディスク再生装置の不連続データ比較器及び不連続データ閾値を含む構成に対し、再生処理データからリトライフラグ生成までをより詳細に示すタイミングチャートである。
【図１２】本発明の実施の形態２に係る光ディスク再生装置の構成を示すブロック図である。
【図１３】本発明の実施の形態２に係る光ディスク再生装置に対し、ユーザデータ領域フラグをより詳細に示すタイミングチャートである。
【図１４】本発明の実施の形態２に係る光ディスク再生装置に対し、再生処理データからリトライフラグ生成までをより詳細に示すタイミングチャートである。
【図１５】本発明の実施の形態２に係る光ディスク再生装置に対し、ユーザデータ領域内連続データカウンタを含む構成をより詳細に示すブロック図である。
【図１６】本発明の実施の形態２に係る光ディスク再生装置のユーザデータ領域内連続データカウンタを含む構成に対し、再生処理データからリトライフラグ生成までをより詳細に示すタイミングチャートである。
【図１７】本発明の実施の形態２に係る光ディスク再生装置に対し、ユーザデータ領域内連続データ比較器及びユーザデータ領域内連続データ閾値を含む構成をより詳細に示すブロック図である。
【図１８】本発明の実施の形態２に係る光ディスク再生装置のユーザデータ領域内連続データ比較器及びユーザデータ領域内連続データ閾値を含む構成に対し、再生処理データからリトライフラグ生成までをより詳細に示すタイミングチャートである。
【図１９】本発明の実施の形態２に係る光ディスク再生装置に対し、ユーザデータ領域内不連続データカウンタを含む構成をより詳細に示すブロック図である。
【図２０】本発明の実施の形態２に係る光ディスク再生装置のユーザデータ領域内不連続データカウンタを含む構成に対し、再生処理データからリトライフラグ生成までをより詳細に示すタイミングチャートである。
【図２１】本発明の実施の形態２に係る光ディスク再生装置に対し、ユーザデータ領域内不連続データ比較器及びユーザデータ領域内不連続データ閾値を含む構成をより詳細に示すブロック図である。
【図２２】本発明の実施の形態２に係る光ディスク再生装置のユーザデータ領域内不連続データ比較器及びユーザデータ領域内不連続データ閾値を含む構成に対し、再生処理データからリトライフラグ生成までをより詳細に示すタイミングチャートである。
【図２３】本発明の実施の形態３に係る光ディスク再生装置の構成を示すブロック図である。
【図２４】本発明の実施の形態３に係る光ディスク再生装置に対し、アドレスデータ領域フラグをより詳細に示すタイミングチャートである。
【図２５】本発明の実施の形態３に係る光ディスク再生装置に対し、再生処理データからリトライフラグ生成までをより詳細に示すタイミングチャートである。
【図２６】本発明の実施の形態３に係る光ディスク再生装置に対し、アドレスデータ領域内連続データカウンタを含む構成をより詳細に示すブロック図である。
【図２７】本発明の実施の形態３に係る光ディスク再生装置のアドレスデータ領域内連続データカウンタを含む構成に対し、再生処理データからリトライフラグ生成までをより詳細に示すタイミングチャートである。
【図２８】本発明の実施の形態３に係る光ディスク再生装置に対し、アドレスデータ領域内連続データ比較器及びアドレスデータ領域内連続データ閾値を含む構成をより詳細に示すブロック図である。
【図２９】本発明の実施の形態３に係る光ディスク再生装置のアドレスデータ領域内連続データ比較器及びアドレスデータ領域内連続データ閾値を含む構成に対し、再生処理データからリトライフラグ生成までをより詳細に示すタイミングチャートである。
【図３０】本発明の実施の形態３に係る光ディスク再生装置に対し、アドレスデータ領域内不連続データカウンタを含む構成をより詳細に示すブロック図である。
【図３１】本発明の実施の形態３に係る光ディスク再生装置のアドレスデータ領域内不連続データカウンタを含む構成に対し、再生処理データからリトライフラグ生成までをより詳細に示すタイミングチャートである。
【図３２】本発明の実施の形態３に係る光ディスク再生装置に対し、アドレスデータ領域内不連続データ比較器及びアドレスデータ領域内不連続データ閾値を含む構成をより詳細に示すブロック図である。
【図３３】本発明の実施の形態３に係る光ディスク再生装置のアドレスデータ領域内不連続データ比較器及びアドレスデータ領域内不連続データ閾値を含む構成に対し、再生処理データからリトライフラグ生成までをより詳細に示すタイミングチャートである。
【図３４】ヘッダフィールドのデータ構成を示す図である。
【図３５】レコーディングフィールドのデータ構成を示す図である。
【図３６】従来の光ディスク再生装置の構成の例を示すブロック図である。
【図３７】オフセットサンプリングの概要を示す図である。
【図３８】ピークサンプリングの概要を示す図である。
【符号の説明】
【０１３９】
１  光ディスク
２  光学レーザ
３  フロントエンドプロセッサ
４  Ａ／Ｄ変換器
５  デジタルリードチャネル
６  再生２値化データ
７  再生クロック
８  復調回路
９  メモリ
１０  誤り訂正回路
１１  ＣＰＵ
１２  サーボ制御部
１３  レーザ制御部
１４  モータ制御部
１５  再生波形データ
１６  データ区間検出部
１７  データ区間フラグ
１８  連続データ検出部
１９  連続データフラグ
２０  リトライ制御部
２１  リトライフラグ
２２  連続データカウンタ
２３  連続データカウント値
２４  連続データ閾値
２５  連続データ比較器
２６  連続データ比較フラグ
２７  不連続データフラグ
２８  不連続データカウンタ
２９  不連続データカウント値
３０  不連続データ閾値
３１  不連続データ比較器
３２  不連続データ比較フラグ
３３  ユーザデータ領域検出部
３４  ユーザデータ領域フラグ
３５  ユーザデータ領域内連続データ検出部
３６  ユーザデータ領域内連続データフラグ
３７  ユーザデータ領域内連続データカウンタ
３８  ユーザデータ領域内連続データカウント値
３９  ユーザデータ領域内連続データ閾値
４０  ユーザデータ領域内連続データ比較器
４１  ユーザデータ領域内連続データ比較フラグ
４２  ユーザデータ領域内不連続データフラグ
４３  ユーザデータ領域内不連続データカウンタ
４４  ユーザデータ領域内不連続データカウント値
４５  ユーザデータ領域内不連続データ閾値
４６  ユーザデータ領域内不連続データ比較器
４７  ユーザデータ領域内不連続データ比較フラグ
４８  アドレスデータ領域検出部
４９  アドレスデータ領域フラグ
５０  アドレスデータ領域内連続データ検出部
５１  アドレスデータ領域内連続データフラグ
５２  アドレスデータ領域内連続データカウンタ
５３  アドレスデータ領域内連続データカウント値
５４  アドレスデータ領域内連続データ閾値
５５  アドレスデータ領域内連続データ比較器
５６  アドレスデータ領域内連続データ比較フラグ
５７  アドレスデータ領域内不連続データフラグ
５８  アドレスデータ領域内不連続データカウンタ
５９  アドレスデータ領域内不連続データカウント値
６０  アドレスデータ領域内不連続データ閾値
６１  アドレスデータ領域内不連続データ比較器
６２  アドレスデータ領域内不連続データ比較フラグ
【図１】
2009032348.tif 000003
【図２】
2009032348.tif 000004
【図３】
2009032348.tif 000005
【図４】
2009032348.tif 000006
【図５】
2009032348.tif 000007
【図６】
2009032348.tif 000008
【図７】
2009032348.tif 000009
【図８】
2009032348.tif 000010
【図９】
2009032348.tif 000011
【図１０】
2009032348.tif 000012
【図１１】
2009032348.tif 000013
【図１２】
2009032348.tif 000014
【図１３】
2009032348.tif 000015
【図１４】
2009032348.tif 000016
【図１５】
2009032348.tif 000017
【図１６】
2009032348.tif 000018
【図１７】
2009032348.tif 000019
【図１８】
2009032348.tif 000020
【図１９】
2009032348.tif 000021
【図２０】
2009032348.tif 000022
【図２１】
2009032348.tif 000023
【図２２】
2009032348.tif 000024
【図２３】
2009032348.tif 000025
【図２４】
2009032348.tif 000026
【図２５】
2009032348.tif 000027
【図２６】
2009032348.tif 000028
【図２７】
2009032348.tif 000029
【図２８】
2009032348.tif 000030
【図２９】
2009032348.tif 000031
【図３０】
2009032348.tif 000032
【図３１】
2009032348.tif 000033
【図３２】
2009032348.tif 000034
【図３３】
2009032348.tif 000035
【図３４】
2009032348.tif 000036
【図３５】
2009032348.tif 000037
【図３６】
2009032348.tif 000038
【図３７】
2009032348.tif 000039
【図３８】
2009032348.tif 000040